(57)【要約】  本発明は、矯正用眼鏡を受けるように設計されたベース（４１０）と、前記眼鏡の光学矯正特性を調整するための部材と協働するように設計された少なくとも１つの伝動要素（４２５、４３５、４４５）と、伝動要素（４２５、４３５、４４５）を駆動するための少なくとも１つの駆動モータ（４２０、４３０、４４０）と、を含む視力測定装置（４００）に関する。本発明はまた、アセンブリ及び関連するシステムにも関する。
2018526125.tif 000002
【特許請求の範囲】
【請求項１】
視力補償眼鏡（３００）を受けるように設計されたホルダ（４１０）を含む視力測定装置（４００）において、
−  前記眼鏡（３００）の光学矯正特性を調節するための部材（３５２、３５４、３５６、５５２、５５４、５５６）と協働するように設計された少なくとも１つの伝動要素（４２５、４３５、４４５）と、
−  前記伝動要素（４２５、４３５、４４５）を駆動するための少なくとも１つのモータ（４２０、４３０、４４０）と、
を含むことを特徴とする視力測定装置（４００）。
【請求項２】
通信モジュール（４９０）は外部電子機器から発信される設定点を受け取るように設計され、制御モジュール（４８０）は、受け取った前記設定点に応じて前記駆動モータ（４２０、４３０、４４０）を制御するように設計される、請求項１に記載の視力測定装置。
【請求項３】
前記視力補償眼鏡（３００）を受ける領域（４０２）のそれぞれの側に配置されたディスプレイ（４５０）とイメージャ（４５５）を含む、請求項１又は２に記載の視力測定装置。
【請求項４】
前記イメージャ（４５５）により生成された前記ディスプレイの画像を解析するモジュール（４８０）と、前記解析モジュール（４８０）により生成されたデータに応じて前記駆動モータ（４２０、４３０、４４０）を制御するモジュール（４８０）と、を含む、請求項３に記載の視力測定装置。
【請求項５】
視力測定装置（４００）と、視力補償眼鏡（３００）と、を含むアセンブリにおいて、前記光学装置（４００）は前記眼鏡（３００）を受けるためのホルダ（４１０）を含み、前記光学装置（４００°は、前記眼鏡（３００）の光学矯正特性を調節するための部材（３５２、３５４、３５６、５５２、５５４、５５６）と協働するように設計された少なくとも１つの伝動要素（４２５、４３５、４４５）と、前記伝動要素（４２５、４３５、４４５）を駆動するための少なくとも１つのモータ（４２０、４３０、４４０）と、を含むことを特徴とするアセンブリ。
【請求項６】
前記視力補償眼鏡（３００）は、少なくとも１つのレンズ（３５０）を含み、これは光軸を有し、前記調節部材（３５６、５５６）が移動すると、前記レンズ（３５０）により生成される前記光軸に沿った球面屈折力を変更するように設計される、請求項５に記載のアセンブリ。
【請求項７】
前記視力補償眼鏡（３００）は、少なくとも１つのレンズ（３５０）を含み、これは光軸を有し、前記調節部材（３５２、３５４、５５２、５５４）が移動すると、前記レンズ（３５０）により生成される前記光軸に沿った円柱屈折力矯正を変更するように設計される、請求項５に記載のアセンブリ。
【請求項８】
前記視力補償眼鏡（３００）は、前記調節部材（３５４）が移動すると、前記円柱屈折力矯正の度数を変更するように設計される、請求項７に記載のアセンブリ。
【請求項９】
前記視力補償眼鏡（３００）は、前記調節部材（３５２）が移動すると、前記円柱屈折力矯正の軸を変更するように設計される、請求項７に記載のアセンブリ。
【請求項１０】
請求項２に記載の視力測定装置（４００）と、前記外部電子機器と、を含むシステムにおいて、前記外部電子機器は別の視力測定装置であることを特徴とするシステム。
【請求項１１】
前記別の視力測定機器は自動屈折測定器又はレフレクタである、請求項１０に記載のシステム。
【請求項１２】
前記外部電子機器は屈折異常又は乱視測定の結果に応じて前記設定点を決定する、請求項１０又は１１に記載のシステム。
【発明の詳細な説明】
【技術分野】
【０００１】
本発明は視力測定の分野に関する。
【０００２】
それは、より詳しくは、視力測定装置のほか、かかる装置を含むアセンブリとシステムに関する。
【背景技術】
【０００３】
患者の視力の測定に関して、提供すべき視力補償を、例えば試験用眼鏡やレフレクタヘッド等のレフレクタによりシミュレートすることがすでに提案されている。
【０００４】
レフレクタヘッドでは、試験用レンズが複数のディスクにセットされ、これが手動で、又は電動機構を使って回転される。しかしながら、このような物体は、各ディスクにセットされるレンズの枚数に関係する実質的な嵩と重さを有する。
【０００５】
試験用眼鏡はそれほど嵩張らない。実際には、これらは患者にとって適当な矯正力が見つかるまで、異なる矯正力を持つ試験用レンズを連続的に受けるようになされている。
【０００６】
しかしながら、この解決策はむしろ非実用的であり、それは特に、試験用レンズを専用箱に入れて別に保管する必要があるからである。さらに、それにはレンズの交換がかかわることから、矯正力の推移が好ましくなく、また不連続となる。
【発明の概要】
【課題を解決するための手段】
【０００７】
これに関して、本発明は、視力補償眼鏡を受けるように設計されたホルダを含む視力測定装置を提案するものであり、これは、前記眼鏡の光学矯正特性を調整するための部材と協働するように設計された少なくとも１つの伝動要素と、伝動要素を駆動するための少なくとも１つのモータと、を含むことを特徴とする。
【０００８】
それゆえ、視力測定装置は、調節部材を操作することによって、眼鏡により得られる矯正を調節することを可能にするモータを含む。眼鏡はそれによって、相応に軽量化され、それゆえ、選択された矯正力を試すために装用するのに非常に適している。
【０００９】
他の任意選択による、したがって非限定的な特徴によれば、
−  通信モジュールは、外部電子機器から発信される設定点を受けるように設計され、
−  制御モジュールは、受け取った設定点に応じて駆動モータを制御するように設計され、
−  視力測定装置は、視力補償眼鏡を受ける領域のそれぞれの側に配置されたディスプレイとイメージャを含み、
−  視力測定装置は、イメージャにより生成されたディスプレイの画像を解析するモジュールと、解析モジュールにより生成されたデータに応じて駆動モータを制御するモジュールと、を含む。
【００１０】
本発明はまた、視力測定装置と視力補償眼鏡を含むアセンブリも提案し、視力測定装置は前記眼鏡を受けるためのホルダを含み、視力測定装置は、前記眼鏡の光学矯正特性を調節するための部材と協働するように設計された少なくとも１つの伝動要素と、伝動要素を駆動するための少なくとも１つのモータと、を含むことを特徴とする。
【００１１】
他の任意選択による、したがって非限定的な特徴によれば、
−  視力補償眼鏡は、光軸を有する少なくとも１枚のレンズを含み、
−  視力補償眼鏡は、調節部材が移動すると、前記レンズにより生成される光軸に沿った球面屈折力を変更するように設計され、
−  視力補償眼鏡は、調節部材を移動すると、前記レンズにより生成される光軸に沿った円柱屈折力矯正を変更するように設計され、
−  視力補償眼鏡は、調節部材が移動すると、前記円柱屈折力矯正の度数を変更するように設計され、
−  視力補償眼鏡は、調節部材が移動すると、前記円柱屈折力矯正の軸を変更するように設計される。
【００１２】
本発明は最後に、上述のような視力測定装置と、前記外部電子機器と、を含むシステムを提案し、前記外部電子機器は別の視力測定器、例えば自動屈折率測定器又はレフクレタであることを特徴とする。
【００１３】
前記外部電子機器は屈折異常又は乱視測定値に応じて前記設定点を決定するようになされていてもよい。
【００１４】
非限定的な例として提供される添付の図面に関する以下の説明により、本発明が何であるか、及びそれをどのように実現できるかがより理解しやすくなるであろう。
【図面の簡単な説明】
【００１５】
【図１】可変円柱屈折力のレンズと可変球面屈折力のレンズを含む光学アセンブリを示す。
【図２】図１の光学アセンブリの断面図を示す。
【図３】図１の光学アセンブリの切断斜視図を示す。
【図４】２つのこのような光学アセンブリを含む視力補償眼鏡を示す。
【図５】図４の眼鏡を受けるための装置を示す。
【図６】図５の受容装置の中に受けられた図４の視力補償眼鏡を示す。
【図７】図５の受容装置の主要電子コンポーネントを図式的に示す。
【図８】図４の視力補償眼鏡の少なくとも１つの光学アセンブリの製造のための想定可能な変形型を示す。
【発明を実施するための形態】
【００１６】
図１〜３は、第一のレンズ１００と第二のレンズ２００を含む光学アセンブリを示す。
【００１７】
第一のレンズ１００と第二のレンズ２００はここではそれぞれ、同一のスタンド（又は本体）１１０のそれぞれの側に配置されている。（透明な）変形不能な分離プラテン１１８は、共通のスタンド１１０に取り付けられ、後述のように第一のレンズ１００と第二のレンズ２００の、液体で満たされた空洞を画定し、それゆえ、２枚のレンズ１００、２００は独立して動作できる。
【００１８】
変形型として、２枚のレンズ１００、２００の各々は分離できる。以下、各レンズ１００、２００を別々に説明する。
【００１９】
後述のように、第一のレンズ１００は、第一のレンズの光軸Ｘに沿って可変円柱光学パワーを生成するように設計される。
【００２０】
第二のレンズ２００については、第一のレンズ１００の光軸Ｘと同じその光軸に沿って、可変球面光学パワーを生成するように設計される。
【００２１】
第一のレンズ１００は、スタンド（又は本体）１１０と、柔軟透明板１５０と、を含む。
【００２２】
スタンド１１０は中央開口１２０を有し、これは一方の端で第一の（透明の）閉鎖板１３０により閉じられ、他方の端では分離プラテン１１８により閉じられており、柔軟透明板１５０は中央開口１２０の中の、第一の閉鎖板１３０と分離プラテン１１８との間に配置される。
【００２３】
スタンド１１０に組み込まれる２つの壁により、柔軟板１５０を、光軸Ｘの周囲で柔軟板１５０がまったく回転しないように案内できる。
【００２４】
スタンド１１０は隆条部１１５を有し、これは中央開口１２０の周辺にあり、光軸  Ｘに垂直で、その割線である軸を有する円柱面に内接する。
【００２５】
スタンド１１０は例えば、そのために壁１１２を含み、これは中央開口１２０を取り囲み、その自由終端は上述の隆条部１１５を画定する。
【００２６】
隆条部１１５の機能は、後述のように、（曲げることにより）柔軟板１５０の湾曲のための開始点の役割を果たす止め具を作ることである。隆条部１５０の円柱形状（すなわち、隆条部１１５が内接する円柱面）の半径はそれゆえ、最大の所望の円柱屈折力に対応する半径より小さく、一般的に約４０ｍｍ以下である。
【００２７】
第一のレンズ１００はまた、柔軟板１５０にしっかりと固定された第一の制御部品１６０も含む。
【００２８】
第一の制御部品１６０はここでは、環状の制御プラテンの形態をとり、これは中央開口１２０を取り囲み、１８０°反対の２つの領域の各々と同じ高さで、雄ねじを含む。
【００２９】
第一の制御部品１６０は、光軸Ｘに沿って並進移動で案内されるようにスタンド１１０に取り付けられる。
【００３０】
第一のレンズ１００はまた、第一の弾性膜１７０も含み、これは円柱形状で、スタンド１１０と第一の制御部品１６０を接続する。
【００３１】
柔軟板１５０、第一の制御部品１６０、第一の弾性膜１７０、中間プラテン１１８、及びスタンド１１０は、液体１９０で満たされた空洞を形成する。ここで、この液体１９０は、文献、米国特許第８００００２２号明細書の文献において使用されているものと同じ、すなわちシリコーン油（例えばＲｈｏｄｒｏｓｉｌオイル４７型）である。
【００３２】
スタンド１１０は、前述の壁１１２を流体が通過できるようにすることによって空洞の様々な部分間を液体が通過しやすくするための穴１９５を含む。
【００３３】
第一の弾性膜１７０は、後述のように、（特に引き伸ばしにより）変形することにより、柔軟板１５０の曲げによって引き起こされる、液体１９０で満たされた空洞の容積の変化を補償するように設計される。図２及び３に明瞭に示されているように、第一の弾性膜１７０はスタンド１１０の周辺に配置され、したがっていかなる光学的役割も果たさない。
【００３４】
円柱形の第一のレンズ１００は最後に、第一の制御リング１８０を含み、これは光軸Ｘの周囲である角度にわたり回転移動のみしてもよい。第一の制御リング１８０は、光軸Ｘを中心とする雌ねじ（ここでは、その断面は正方形）を含み、それが第一の制御部品１６０の雄ねじと係合する。
【００３５】
第一の制御リング１８０はまた、その周辺に沿って複数の歯１８５も有し、それが歯車を形成し、それゆえ、第一の駆動システム（図示せず）、例えば、第一の制御リング１８０の歯１８５と相互作用するウォームねじを含む出力アクスルを有するモータにより回転駆動させることができる。
【００３６】
さらに、第一の制御リング１８０の移動を、例えばスタンド１１０と第一の制御リング１８０との間に形成されるハードストップにより限定するようになされていてもよい。
【００３７】
ここで、柔軟板１５０が曲がり、それゆえ、可変的な円柱光学パワーが得られるようにする動きについて、説明する。
【００３８】
以下、第一の制御部品１６０は、図２及び３に示されるように、その最も高い位置（図２の向きで考える）、すなわち、第一の閉鎖板１３０に最も近い位置にあると考える。これらの図面からわかるように、第一の制御部品１６０のこの位置において、柔軟板１５０は隆条部１１５と接触していない。
【００３９】
第一の制御リング１８０が（例えば、前述の第一の駆動システムによって）回転させられると、第一の制御部品１６０はボルト／ナットシステムにより、柔軟板１５０がスタンド１１０にしっかりと固定された円柱状隆条部１１５と接触するまで数度にわたって（図２の下方に）並進移動し始める（この接触は、まず図２において隆条部１１５の上部１１６で、すなわち、光軸Ｘ及び、隆条部１１５を含む円柱面の軸を含む平面内で発生する）。
【００４０】
第一の制御リング１８０の回転を続けることにより、第一の制御部品１６０と柔軟板１５０から形成されるアセンブリは、（図２の下方へ、すなわち第一の閉鎖板１３０から離れる方向へ）並進を続け、それによって柔軟板１５０は徐々に曲がり始め、その（曲げ）半径の値は第一の制御リング１８０の回転角度に正比例する。
【００４１】
隆条部が円柱形であることにより、柔軟板１５０は優先的に円柱形に変形し、これによって求められる円柱屈折力矯正が得られ、これは上述の曲げ半径の値に応じて変化するパワーを有する。
【００４２】
さらに、柔軟板の変形は円柱面に内接する隆条部１５０から始まることから、この円柱屈折力補正の軸はこの円柱面の軸に（すなわち、スタンド１１０に関して固定され、光軸Ｘに垂直な軸に）対応する。
【００４３】
留意される点として、柔軟板１５０には一般に、その非等方性、その曲げ剛性、及び、第一の弾性膜１７０の変形に伴う圧力上昇に応じてより大きい、又はより小さい規模の第二の変形も起こる。それゆえ、柔軟板１５０は一般に、純粋に円柱形ではなく、円環形状を有する。
【００４４】
すると、その他の球面構成部品が、任意選択により、他の光学的手段により、ここでは後述の第二のレンズ２００の動作を介して補償されることも可能である。
【００４５】
柔軟板１５０の変形中、液体１９０で満たされた空洞内の容積は一定のままである。具体的には、柔軟板１５０の変形により生じる圧力上昇により、第一の弾性膜１７０が変形して、有効領域から発生する液体１９０の移動を吸収する。
【００４６】
さらに留意される点として、（柔軟板１５０により加えられる）このわずかな圧力により、運動を可逆的とすることができ、それと同時に、ボルト／ナットシステムから遊びが確実に取り除かれる。
【００４７】
要約すれば、第一の駆動システムにより第一の制御リング１８０を回転駆動することによって、第一のレンズ１００の円柱屈折力は前述のように変化させられる（それに対して、円柱屈折力補正軸は前述のようにスタンド１１０に関して固定されている）。
【００４８】
第二のレンズ２００は、中央開口２２０を有するホルダと、中央開口２２０の中に受けられる第二の弾性膜２５０と、第二の弾性膜２５０にしっかりと固定された第二の制御部品２６０と、第二の制御リング２８０と、を含む。
【００４９】
第二のレンズ２００の支持部はここで、第一のレンズ１１０のスタンド１１０にしっかりと固定され、例えばそれと単独の部品を形成する。
【００５０】
第二の制御部品２６０は、ここでは３つの案内コラムによってホルダ内において並進移動で案内されるように取り付けられる。
【００５１】
第二の制御リング２８０は、光軸Ｘの周囲で回転移動のみさせられてもよく、その回転運動中に、第二の制御部品２６０は（例えば、第二の制御部品２６０の雄ねじと相互作用する第二の制御リング２８０の雌ねじにより形成される）ボルト／ナットシステムによって光軸Ｘに沿って並進移動させることができる。
【００５２】
第二の弾性膜２５０、第二の制御部品２６０、分離プラテン１１８、及び支持部（ここでは、共通のスタンド１１０）は、液体で満たされた空洞を形成し、それによって第二の制御部品２６０の並進移動が第二の弾性膜２５０の（引き伸ばしによる）弾性変形を起こさせ、それゆえ、これは基本的に球の形状をとり、その曲率半径は第二の制御部品２６０の位置に依存する。
【００５３】
それゆえ、求められる可変球面屈折力が得られる。
【００５４】
第二の制御リング２８０は、まさにその周辺に沿って複数の歯２８５を有して、歯車を形成し、それゆえ、第二の駆動システム（図示せず）、例えば、第二の制御リング２８０の歯２８５と相互作用するウォームねじを含む出力アクスルを有するモータによって回転駆動できる。
【００５５】
それゆえ、第二の駆動システムによって第二の制御リング２８０を回転駆動することにより、前述のように、第二のレンズ２００の球面屈折力が変化させられる。
【００５６】
機構部分全体にわたり、構造的遊びがない。この特徴により、機構部分のための連続的な制御法則を確立できる。具体的には、そうでない場合、機構部分に加えられる力の方向は膜が凸形状から凹形状に移行するときに逆転するため、構造的な遊びがあると、制御法則が損なわれるか、又はこの制御法則の定義が複雑化する危険性がある。
【００５７】
前述のように、第一のレンズ１００と第二のレンズ２００から形成される光学アセンブリで得られる補正の円柱屈折力と球面屈折力を、それぞれ第一の制御リング１８０と第二の制御リング２８０を回転駆動することによって、変化させることが可能である。
【００５８】
第一のレンズ１００で得られる円柱屈折力補正の円柱軸を変化させるために、前述の光学アセンブリは、光軸Ｘの周囲で基準の固定フレームに関して（特に、自覚的屈折検査で光学アセンブリがその正面に置かれる患者の眼に関して）回転できるように取り付けられてもよい。
【００５９】
したがって、すると、光学アセンブリの周辺に、例えばスタンド１１０の外壁に設けられた歯１１１のアセンブリが設けられる。
【００６０】
スタンド１１０が基準の固定フレームに関して回転し、一方で第一の制御リング１８０に関する、他方で第二の制御リング２８０に関するスタンドの回転移動を駆動するようになされていてもよい（これら２つの制御リング１８０、２８０は、第一及び第二の駆動システムにより駆動されない場合に基準の固定フレーム内で動かない）。
【００６１】
この場合（円柱屈折力矯正の円柱軸だけを変化させることが望ましい場合）、制御リング１８０、２８０を回転駆動させて、第一の制御リング１８０と第二の制御リング２８０のスタンド１１０の相対位置を保持し、円柱屈折力と球面屈折力の所望の値を保持するようになされる。
【００６２】
図４は、フレームに取り付けられた、図１〜３に関して上で説明したような２つの光学アセンブリ３５０を含む視力補償眼鏡３００を示す。
【００６３】
フレームは、各々が光学アセンブリ３５０を受けるように意図された２つの支持要素３１５を担持する横木３１０を含む。
【００６４】
横木３１０上の各支持要素３１５の位置は、ここではそれぞれに対応する横木３１０の端に配置されたピニオン３１２を操作することにより、横木３１０の軸に沿って並進移動で調節可能であり、それによって、関係する光学アセンブリ３５０の位置を視力補償眼鏡３００の装用者の瞳孔間距離の半分に設定できる。
【００６５】
各支持要素３１５は１つの光学アセンブリ３５０を担持しながら、前述のようにそのスタンドの周囲に形成された歯車３５２（特に図３の歯１１１参照）によって、この光学アセンブリ３５０が、上述のように外部駆動システムにより回転駆動されたときに、その軸の周囲で回転できるようにする。
【００６６】
各光学アセンブリ３５０はさらに、それぞれに対応する支持要素３１５に、第一の制御リング３５４（図１〜３の第一の制御リング１８０に対応する）と第二の制御リング３５６（図１〜３の第二の制御リング２８０に対応する）には（少なくともある領域において）触れることができるままであるように取り付けられる。
【００６７】
あるいは、各アセンブリ３５０について、任意選択により、制御リング３５４、３５６を、制御リング３５４、３５６が後述のように伝動要素４２５、４３５と協働する場所を除いてカバーする（使用者がそれらを操作できないようにする）カウリング（図示せず）が設けられてもよい。
【００６８】
各支持要素３１５はさらに、視力補償眼鏡３００のフレームのテンプル３２０を担持し、関係するテンプル３２０を支持要素３１５に関して向き付けて、テンプル３２０の向きを装用者の前傾角に設定できるようにする。
【００６９】
各テンプル３２０はさらに、関係するテンプルの長さを調節するための機構３２５を含む。
【００７０】
横木３１０はさらに、鼻支持部３３０を担持する。鼻支持部３３０の位置（高さ方向）は、装用者の形状に合致するように調節可能である。
【００７１】
図５は、上述の眼鏡のための受容装置４００を示す。
【００７２】
このような受容装置４００はホルダ４１０を含み、これはここでは平行六面体の全体的形状で、ここでは上部が開放し、視力補償眼鏡３００、特に横木３１０、支持要素３１５、及び光学アセンブリ３５０を収容できるような大きさのハウジング４０２を示す。
【００７３】
ホルダ４１０はまた、ハウジング４０２の横壁に形成された、視力補償眼鏡３００のテンプル３２０を通すための開口４０４も示す。
【００７４】
各光学アセンブリ３５０について、受容装置４００は、
−  第一の伝動要素４２５（ここでは、第一のモータ４２０の出力軸に取り付けられた歯車）を駆動するための第一の（電気）モータ４２０と、
−  第二の伝動要素４３５（ここでは、第二のモータ４３０の出力軸に取り付けられた歯車）を駆動するための第二の（電気）モータ４３０と、
−  第三の伝動要素４４５（ここでは、第三のモータ４４０の出力軸に取り付けられたねじ４４２により駆動される歯車）を駆動するための第三の（電気）モータ４４０と、
を含む。
【００７５】
各伝動要素４２５、４３５、４４５は受容装置の中に（ここでは、ホルダ４１０の中に形成されたハウジング４０２の後壁の開口の中に）、図６に示されるように視力補償眼鏡３００が受容装置４００の中に受けられたときに、関係する光学アセンブリ３５０のための制御部材３５４、３５６、３５２と協働するように配置される。
【００７６】
具体的には、視力補償眼鏡３００がホルダ４１０に受けられると（これらは、ハウジング４０２の中に位置付けられ、テンプル３２０は開口４０４に通される）、
−  第一の伝動要素４２５は第一の制御リング３５４と協働し（それによって第一の駆動モータ４２０と第一の伝動要素４２５が上述の第一の駆動システムを形成する）、
−  第二の伝動要素４３５は第二の制御リング３５６と協働し（それによって第二の駆動モータ４３０と第二の伝動要素４３５は上述の第二の駆動システムを形成する）、
−  第三の伝動要素４４５は歯車３５２と協働する（それによって第三の駆動モータ４４０と第三の伝動要素４４５は上述の第三の駆動システムを形成する）。
【００７７】
それゆえ、第一の駆動モータ４２０と、第二の駆動モータ４３０と、第三の駆動モータ４４０のそれぞれの動作により、関係する光学アセンブリ３５０により生成される円柱屈折力、球面屈折力、及び円柱屈折力矯正軸を調節することができる。
【００７８】
ここに記載の例において、受容装置４００はまた、ハウジング４０２に受けられることになる各光学アセンブリ３５０について、光学パワーをチェックするためのシステムも含み、これはハウジング４０２のそれぞれの側の、光学アセンブリ３５０を受けることが意図された領域にそれぞれ配置されたディスプレイ４５０とイメージャ（例えばカメラ４５５）を含む光学パワーチェックシステムも含む。
【００７９】
また後述するように、制御回路４８０（ここでは、受容装置４００に含められる）は、光学アセンブリ３５０により提供される光学矯正の特性を、カメラ４５５により光学アセンブリ３５０を通して見られるディスプレイ４５０の少なくとも１つの画像に応じて、デフレクトメトリ計算により決定するように設計される。
【００８０】
受容装置４００は、最後に、視力補償眼鏡３００のフレームの両側の各々に関連して、第四の伝動要素４６５を駆動するための第四の（電気）モータ４６０を含む。
【００８１】
この第四の伝動要素４６５は受容装置４００の中に（すなわち、ホルダ４１０の中に）、対応するピニオン３１２と協働して、（第四の駆動モータ４６０の動作によって）対応する支持要素３１５の、横木３１０に関する位置を調節するように位置付けられる。
【００８２】
図７は、受容装置４００の主要電子コンポーネントを図式的に示す。
【００８３】
上述の制御回路４８０は例えば、プロセッサ（例えばマイクロプロセッサ）と、特に、コンピュータプログラム命令であって、これらの命令がプロセッサにより実行されると制御回路４８０による上述の方法の実行を起こさせるコンピュータプログラム命令を記憶した１つ又は複数のメモリと、を含む。
【００８４】
さらに、２つのモジュール３５０の校正データを制御回路４８０の上述のメモリの中に保存できる。
【００８５】
変形型として、制御回路４８０は特定用途集積回路の形態をとることができる。
【００８６】
受容装置４００はまた、制御回路４８０に連結され、他の電子機器（図示せず）、例えば自動屈折測定器又はレフラクタとの通信チャネルを確立するように設計された通信モジュール４９０も含む。
【００８７】
通信モジュール４９０は例えば、他の電子機器と、ここでは他の電子機器も接続される無線ローカルエリアネットワーク（すなわちＷＬＡＮ）に接続することによって無線リンクを確立するように設計される。変形型として、通信モジュール４９０は、有線リンクを介して他の電子機器との通信を確立できる。
【００８８】
制御回路４８０はまた、第一の駆動モータ４２０Ｌ、４２０Ｒに、第二の駆動モータ４３０Ｌ、４３０Ｒに、第三の駆動モータ４４０Ｌ、４４０Ｒに、及び第四の駆動モータ４６０Ｌ、４６０Ｒに（左眼に関して光学アセンブリを制御することが意図される駆動モータは下付き文字Ｌで、右眼に関して光学アセンブリを制御することが意図される駆動モータは下付き文字Ｒで示される）連結される。
【００８９】
制御回路４８０は最後に、すでに述べたように、ディスプレイ４５０とカメラ４５５に連結される。
【００９０】
ここまで説明したシステムの例示的な使用を以下に説明する。
【００９１】
制御回路４８０は、他の電子機器から発信された設定点情報を、通信モジュール４９０により確立された通信チャネルを介して受け取る。この設定点情報には例えば、各眼について、球面屈折力設定点Ｓ、円柱屈折力設定点Ｃ、円柱屈折力矯正角度設定点α、瞳孔間距離の半分の設定点ＰＤが含まれる。
【００９２】
これらの設定点は例えば、他の電子機器（自動屈折測定器又はレフラクタ）を援用して装用者について測定した値（特に屈折異常及び生理学的な値）に対応する。
【００９３】
次に視力補償眼鏡３００が図６に示されるように受容装置４００にセットされることが考えられる。
【００９４】
次に、制御回路４８０は第四の駆動モータ４６０Ｌ、４６０Ｒに対して、光学アセンブリ３５０の各々を対応する光学パワーチェックシステム（ディスプレイ３５０、カメラ３５５）と一致させてセットするように命令する。
【００９５】
各眼について、制御回路４８０はその後、第一の駆動モータ４２０、第二のモータ４３０、第三のモータ４４０に対し、関係する光学アセンブリ３５０が、関係する眼について受け取った設定点情報に適合する特徴（球面屈折力、円柱屈折力、その円柱の軸）を有する光学矯正を生成するように命令する。
【００９６】
ここに記載の例では、制御回路４８０は、毎回、有効な矯正の特性をディスプレイ４５０とカメラ４５５によって（カメラ４５５により光学アセンブリ３５０を通じて形成されたディスプレイ４５０の画像の解析により）決定し、設定点の値が得られるまで関係する駆動モータ４２０、４３０、４４０の回転を指示する。
【００９７】
変形型として、制御回路４８０は、受け取った設定点情報の適切な処理（特に上述の校正データを用いる）によって、光学アセンブリ３５０の制御部材３５４、３５６、３５２の各々に関する位置設定点を決定し、第一のモータ４２０、第二のモータ４３０、第三のモータ４４０に対し、これらのそれぞれの位置設定点を達成するように命令すべく設計できる。
【００９８】
この例では、各光学アセンブリ３５０上に３つの基準フレーム（それぞれ、球面屈折力の調節、円柱屈折力の調節、及び円柱軸の調節のため）を設けてもよく、これらは受容装置４００にしっかりと固定されたセンサにより、駆動モータに直接基づいて光学矯正の特性をチェックするような方法で特定可能である（各制御部材３５２、３５４、３５６の位置がその上述の基準フレーム内でわかっていることによる）。
【００９９】
所望の矯正が各光学アセンブリ３５０について得られると、制御回路４８０はまた、（各側について）、第四の駆動モータ４６０に対し、関係する光学アセンブリ３５０の位置を所望の瞳孔間距離の半分ＰＤ（すなわち、上述のように設定点として受け取る）に設定するように命令する。
【０１００】
その後、視力補償眼鏡３００は、受容装置４００から取り外し、装用者が、ここでは他の電子機器のレベルで行われる測定の有効性を確認するために使用できる。
【０１０１】
図８は、視力補償眼鏡３００の少なくとも１つの光学アセンブリの製造のための想定可能な変形型を示している。
【０１０２】
このような光学アセンブリは：
−  光軸Ｘの周囲で回転可能な第一の歯車５５２に取り付けられた、光軸Ｘに沿って円柱屈折力Ｃ０を持つ平凸円柱レンズ５０２と、
−  光軸Ｘの周囲で回転可能な第二の歯車５５４に取り付けられた、光軸Ｘに沿ってマイナスの円柱屈折力−Ｃ０を持つ平凹円柱レンズ５０４と、
−  第三の歯車５０６を回転させることによって変化させることのできる（光軸に沿って）球面屈折力Ｓｖを持つレンズ５０６（第三の歯車５０６は、レンズ２００に関して上で説明したように、レンズ５０６の膜の半径を制御する要素と、ねじ−ナット型システムにより協働する）と、
を含む。
【０１０３】
したがって、平凹円柱レンズ５０４の円柱屈折力（ここでは−Ｃ０）の絶対値（すなわちモジュラス）、ここではＣ０は、平凸円柱レンズ５０２の円柱屈折力（Ｃ０）の絶対値（Ｃ０）（すなわちモジュラス）と等しい。
【０１０４】
３枚のレンズ５０２、５０４、５０６の各々は、光軸Ｘに垂直な第一の平面と、第一の面の反対側の、光学的に活性な第二の面と、を含み、
−  レンズ５０２の光学活性面は円柱凸形状であり（この面を画定する円筒の軸Ｙ１は光軸Ｘに垂直にある）、
−  レンズ５０４の光学活性面は円柱凹形状であり（この面を画定する円柱の軸Ｙ２は光軸Ｘに垂直である）、
−  可変球面屈折力ＳＶのレンズ５０６の光学活性面は変形可能であり、それゆえ、球面凸形状（図８では破線で示される）、平面形状（図８では実線で示される）、又は球面凹形状（図８では一点鎖線で示される）をとることができる。
【０１０５】
可変球面屈折力ＳＶのレンズ５０６は、例えば欧州特許第２  ０３４  ３３８号明細書の文献に記載されている種類のレンズである。このようなレンズは、透明な変形可能膜と平坦移動可能透明壁により閉じられた空洞を含み、空洞は一定の体積の透明な液体を含み、これは、移動可能面によってより多い、又は少ない程度に拘束されることにより膜を変形させ、これはそれゆえ、球面凹、又は平面、又は球面凸の何れかである。使用されるレンズにおいて、ナット／ボルトシステムで実現される動作の変換により、回転及び直線動作を確実に変換することができる。それゆえ、歯車５５６の回転は上述の制御要素を並進移動で駆動し、それによって例えば上述の欧州特許第２  ０３４  ３３８号明細書の文献に記載されているように透明膜を変形させる。それゆえ、レンズ５０６の機械的動作を介して、球面屈折力ＳＶを連続的に変化させることができる。ここに記載の例において、レンズ５０６は−４０ｍｍ〜４０ｍｍの間の可変焦点距離、すなわち−２５Ｄ〜２５Ｄ（Ｄはディオプトリで、輻輳測定の単位であり、メートルで表わされる焦点距離の逆数である）の可変球面屈折力ＳＶを有する。
【０１０６】
さらに、平円柱レンズ５０２、５０４はそれぞれ、前述のように、−Ｃ０及びＣ０の円柱屈折力を有し、ここではＣ０＝５Ｄである。
【０１０７】
歯車５５２を回転させることにより、平凸円柱レンズ５０２の光学活性面上に形成される凸円柱の軸Ｙ１は、参照軸Ｙ０（固定され、光軸Ｘに垂直）と可変角度α１をなすことができる。
【０１０８】
同様に、歯車５５４を回転させことにより、平凹円柱レンズ４の光学活性面上に形成される凹円柱の軸Ｙ２は、参照軸Ｙ０と可変角度α２をなすことができる。
【０１０９】
様々な経線上の輻輳を計算することにより、上述の３つの光学要素５０２、５０４、５０６から形成されるシステムの球面屈折力Ｓ、円柱屈折力Ｃ、及び非点収差角度αについて以下の式が得られる。
【数１】
2018526125.tif 000003
【０１１０】
式３の項（−Ｃ／２）は、２枚の円柱屈折力レンズ５０２、５０４の合力により生成される球面屈折力に対応する。
【０１１１】
３つの歯車を示すその構造により、このような光学アセンブリは、（それが図４に示される種類の視力補償眼鏡の中に取り付けられると）上述のような受容装置４００と容易に協働できる。
【０１１２】
平凸円柱レンズ５０２の回転位置を（第一の駆動モータ４２０によって）、及び平凹円柱レンズ５０４の回転位置を（第三の駆動モータ４４０によって）後述のように相互に独立して制御することにより、角度α１、α２の各々を０°〜３６０°の間で独立して変化させ、それゆえ、−２．Ｃ０及び２．Ｃ０の間（すなわち、ここでは−１０Ｄ〜１０Ｄの間）で調節可能な円柱屈折力Ｃを得て、また、２枚のレンズを同時に制御することによって得られる０°〜３６０°の間で調節可能な非点収差角度についてもそのようにすることが可能となる。式３に示されるように、２枚の円柱レンズ５０２、５０４の向きの合力により誘導される球面屈折力の合力は、可変屈折力の球面レンズ５０６により補償される。
【０１１３】
これに関して、２枚の円柱レンズ５０２、５０４間に、これらを同じ角度だけ反対方向に回転させるように同期機構が設けられてもよい。
【０１１４】
さらに、（第二の駆動モータ４３０により）球面レンズ６の球面屈折力ＳＶを変化させることにより、３枚のレンズ５０２、５０４、５０６から形成されるシステムの球面屈折力Ｓを調節することが可能である。
【図１】
2018526125.tif 000004
【図２】
2018526125.tif 000005
【図３】
2018526125.tif 000006
【図４】
2018526125.tif 000007
【図５】
2018526125.tif 000008
【図６】
2018526125.tif 000009
【図７】
2018526125.tif 000010
【図８】
2018526125.tif 000011
【国際調査報告】
2018526125.tif 000012
2018526125.tif 000013
2018526125.tif 000014
2018526125.tif 000015